(57)【要約】  異形カードが取り込まれるのを防止することが可能であっても、コストを低減することが可能なカードリーダを提供する。このカードリーダは、カード通過路を閉鎖するシャッタ部材７と、シャッタ部材７がカード通過路を閉鎖する閉鎖位置７Ａへシャッタ部材７を付勢する付勢部材１３と、カード２の幅が正規の幅である場合にカード２が接触するカード接触部８ａと閉鎖位置７Ａにあるシャッタ部材７の動作を制限する制限部８ｂとを有するレバー部材８と、制限部８ｂがシャッタ部材７の動作を制限する制限位置８Ａへレバー部材８を付勢する付勢部材とを備えている。このカードリーダでは、挿入されたカード２がカード接触部８ａに接触すると、制限部８ｂによるシャッタ部材７の制限状態が解除され、この状態でカード２がシャッタ部材７に接触してシャッタ部材７が押されると、カード２が通過可能となるようにシャッタ部材７が動作する。
2017057189.tif 000002
【特許請求の範囲】
【請求項１】
カードが挿入されるカード挿入口と、前記カード挿入口に挿入された前記カードが通過するカード通過路と、前記カード通過路を閉鎖するためのシャッタ部材と、前記シャッタ部材が前記カード通過路を閉鎖する閉鎖位置に向かって前記シャッタ部材を付勢するシャッタ付勢部材とを備えるとともに、
前記カード通過路を通過する前記カードの通過方向と前記カードの厚さ方向とに直交する方向を第１方向とすると、前記カード挿入口に挿入された前記カードの前記第１方向の幅が正規の幅である場合および前記カード挿入口に挿入された前記カードの厚さが正規の厚さである場合の少なくともいずれか一方の場合に前記カードが接触するカード接触部と前記閉鎖位置にある前記シャッタ部材の動作を制限する制限部とを有するレバー部材と、前記制限部が前記シャッタ部材の動作を制限する制限位置に向かって前記レバー部材を付勢するレバー付勢部材とを備え、
前記カード挿入口に挿入された前記カードが前記カード接触部に接触すると、前記制限部による前記シャッタ部材の制限状態が解除される解除位置へ前記レバー部材が動作し、その後、さらに挿入された前記カードが前記シャッタ部材に接触して前記シャッタ部材が前記カードに押されると、前記カードが通過可能となるように前記シャッタ部材が動作することを特徴とするカードリーダ。
【請求項２】
前記カード接触部は、前記第１方向における前記カード通過路の両側のそれぞれから前記カード通過路に臨むように配置され、
前記カードの前記第１方向の幅が正規の幅である場合に、前記カード接触部に前記カードが接触して前記解除位置へ前記レバー部材が動作することを特徴とする請求項１記載のカードリーダ。
【請求項３】
前記シャッタ部材と前記レバー部材とは、前記第１方向において隣接配置されていることを特徴とする請求項２記載のカードリーダ。
【請求項４】
前記レバー部材は、前記カードの通過方向を回動の軸方向とする回動が可能となっていることを特徴とする請求項１から３のいずれかに記載のカードリーダ。
【請求項５】
前記シャッタ部材は、前記第１方向を回動の軸方向とする回動が可能となっていることを特徴とする請求項１から４のいずれかに記載のカードリーダ。
【請求項６】
前記シャッタ部材を回動可能に支持する支持軸を備え、
前記支持軸は、前記支持軸の軸方向と前記第１方向とが一致するように配置され、
前記シャッタ部材は、略円筒状に形成されるとともに前記支持軸に支持される支持部と、前記カード通過路を閉鎖する閉鎖部とを備え、
前記支持軸は、前記支持部の内周側に挿通され、
前記支持部には、前記支持部の径方向の外側へ突出する突起部が形成され、
前記閉鎖位置に前記シャッタ部材がありかつ前記制限位置に前記レバー部材がある状態で前記カード挿入口への前記カードの挿入方向に前記閉鎖部が押されると、前記突起部が前記制限部に接触して、前記閉鎖位置にある前記シャッタ部材の動作が制限されることを特徴とする請求項５記載のカードリーダ。
【請求項７】
前記制限部は、前記閉鎖位置に前記シャッタ部材がありかつ前記制限位置に前記レバー部材がある状態で前記カードの挿入方向に前記閉鎖部が押されたときに前記突起部が接触する側にのみ配置されていることを特徴とする請求項６記載のカードリーダ。
【請求項８】
前記シャッタ部材を回動可能に支持する支持軸と、前記カードの厚さ方向における前記カード通過路の一方の面を構成するフレームとを備え、
前記支持軸は、前記支持軸の軸方向と前記第１方向とが一致するように配置され、
前記シャッタ付勢部材は、ネジリコイルバネであり、
前記ネジリコイルバネは、前記支持軸が挿通される筒状の筒部と、前記筒部の一端の、前記カードの通過方向の一方側から前記カードの厚さ方向の一方側へ伸びる第１腕部と、前記筒部の他端の、前記カードの通過方向の他方側から前記カードの厚さ方向の一方側へ伸びる第２腕部とを備え、
前記フレームには、前記第１腕部の先端部が前記カードの通過方向の他方側から接触可能な第１接触部と、前記第２腕部の先端部が前記カードの通過方向の一方側から接触可能な第２接触部とが形成され、
前記シャッタ部材には、前記カードの通過方向の一方側から前記第１腕部に接触可能な第３接触部と、前記カードの通過方向の他方側から前記第２腕部に接触可能な第４接触部とが形成され、
前記シャッタ部材が前記閉鎖位置にあるときに、前記第１腕部の先端部は、前記第１接触部に接触し、前記第２腕部の先端部は、前記第２接触部に接触していることを特徴とする請求項５から７のいずれかに記載のカードリーダ。
【請求項９】
前記シャッタ部材が前記閉鎖位置にあるときに、前記第３接触部は、前記カードの通過方向の一方側から前記第１腕部に接触し、前記第４接触部は、前記カードの通過方向の他方側から前記第２腕部に接触していることを特徴とする請求項８記載のカードリーダ。
【発明の詳細な説明】
【技術分野】
【０００１】
本発明は、カードに対して所定の処理を行うカードリーダに関する。
【背景技術】
【０００２】
従来、カードに対して所定の処理を行うカードリーダが知られている（たとえば、特許文献１参照）。特許文献１に記載のカードリーダには、カードが挿入されるカード挿入口と、カード挿入口に挿入されたカードが搬送されるカード搬送路とが形成されている。また、このカードリーダは、カード搬送路を閉鎖する閉鎖位置とカード搬送路を開放する開放位置との間で移動可能なシャッタ部材と、シャッタ部材に連結されるソレノイドと、カード挿入口に挿入されるカードの幅を検知する幅検知機構と、カード挿入口に挿入されるカードの厚さを検知する厚さ検知機構とを備えている。【０００３】
特許文献１に記載のカードリーダでは、幅検知機構は、レバー部材と、レバー部材の変位を検知する光学式のセンサとを備えている。厚さ検知機構は、厚さ方向接触部材と、厚さ方向接触部材の変位を検知する光学式のセンサとを備えている。このカードリーダでは、カード挿入口にカードが挿入される前の待機時には、シャッタ部材は、カード搬送路を閉鎖する閉鎖位置にある。また、このカードリーダでは、たとえば、幅検知機構および厚さ検知機構での検知結果に基づいて正規の形状のカードがカード挿入口に挿入されたことが検知されると、ソレノイドの動力でシャッタ部材が閉鎖位置から開放位置に移動して、カードリーダの内部へのカードの取り込みが可能になる。
【先行技術文献】
【特許文献】
【０００４】
【特許文献１】特開２０１１−２０９９８１号公報
【発明の概要】
【発明が解決しようとする課題】
【０００５】
特許文献１に記載のカードリーダでは、幅検知機構および厚さ検知機構での検知結果に基づいて正規の形状のカードがカード挿入口に挿入されたことが検知された場合に、ソレノイドの動力でシャッタ部材が閉鎖位置から開放位置に移動して、カードリーダの内部へのカードの取り込みが可能になるため、異形のカードがカードリーダの内部に取り込まれるのを防止することが可能である。【０００６】
しかしながら、このカードリーダでは、異形のカードがカードリーダの内部へ取り込まれるのを防止するための構成として、シャッタ部材を駆動するソレノイド、および、幅検知機構や厚さ検知機構を構成する光学式のセンサが必要になる。また、このカードリーダでは、センサでの検知結果に基づいてソレノイドを駆動する制御回路が必要になる。したがって、特許文献１に記載のカードリーダでは、カードリーダのコストが高くなる。【０００７】
そこで、本発明の課題は、カードリーダの内部に異形のカードが取り込まれるのを防止することが可能であっても、コストを低減することが可能なカードリーダを提供することにある。
【課題を解決するための手段】
【０００８】
上記の課題を解決するため、本発明のカードリーダは、カードが挿入されるカード挿入口と、カード挿入口に挿入されたカードが通過するカード通過路と、カード通過路を閉鎖するためのシャッタ部材と、シャッタ部材がカード通過路を閉鎖する閉鎖位置に向かってシャッタ部材を付勢するシャッタ付勢部材とを備えるとともに、カード通過路を通過するカードの通過方向とカードの厚さ方向とに直交する方向を第１方向とすると、カード挿入口に挿入されたカードの第１方向の幅が正規の幅である場合およびカード挿入口に挿入されたカードの厚さが正規の厚さである場合の少なくともいずれか一方の場合にカードが接触するカード接触部と閉鎖位置にあるシャッタ部材の動作を制限する制限部とを有するレバー部材と、制限部がシャッタ部材の動作を制限する制限位置に向かってレバー部材を付勢するレバー付勢部材とを備え、カード挿入口に挿入されたカードがカード接触部に接触すると、制限部によるシャッタ部材の制限状態が解除される解除位置へレバー部材が動作し、その後、さらに挿入されたカードがシャッタ部材に接触してシャッタ部材がカードに押されると、カードが通過可能となるようにシャッタ部材が動作することを特徴とする。【０００９】
本発明のカードリーダは、カード挿入口に挿入されたカードの第１方向の幅が正規の幅である場合や挿入されたカードの厚さが正規の厚さである場合にカードが接触するカード接触部と閉鎖位置にあるシャッタ部材の動作を制限する制限部とを有するレバー部材と、制限部がシャッタ部材の動作を制限する制限位置に向かってレバー部材を付勢するレバー付勢部材とを備えており、カード挿入口に挿入されたカードがカード接触部に接触すると、制限部によるシャッタ部材の制限状態が解除される解除位置へレバー部材が動作する。すなわち、本発明では、カード挿入口に挿入されたカードの第１方向の幅が正規の幅でない場合や挿入されたカードの厚さが正規の厚さでない場合には、シャッタ部材の制限状態は解除されず、シャッタ部材がカード通過路を閉鎖した状態が維持される。そのため、本発明では、カードリーダの内部に異形のカードが取り込まれるのを防止することが可能になる。【００１０】
また、本発明では、シャッタ部材は、シャッタ付勢部材によって閉鎖位置に向かって付勢されており、レバー部材が解除位置へ動作した後、さらに挿入されたカードがシャッタ部材に接触してシャッタ部材がカードに押されると、カードが通過可能となるようにシャッタ部材が動作するため、シャッタ部材を駆動する駆動源が不要になる。また、本発明では、特許文献１に記載のカードリーダが有するセンサも不要になる。したがって、本発明では、カードリーダの内部に異形のカードが取り込まれるのを防止することが可能であっても、カードリーダのコストを低減することが可能になる。【００１１】
本発明において、たとえば、カード接触部は、第１方向におけるカード通過路の両側のそれぞれからカード通過路に臨むように配置され、カードの第１方向の幅が正規の幅である場合に、カード接触部にカードが接触して解除位置へレバー部材が動作する。この場合には、第１方向の幅の狭い異形のカードがカードリーダの内部に取り込まれるのを防止することが可能になる。【００１２】
本発明において、シャッタ部材とレバー部材とは、第１方向において隣接配置されていることが好ましい。すなわち、本発明において、シャッタ部材とレバー部材とは、カードの通過方向において略同じ位置に配置されていることが好ましい。このように構成すると、シャッタ部材とレバー部材とがカードの通過方向においてずれた位置に配置されている場合と比較して、カードの通過方向においてカードリーダを小型化することが可能になる。【００１３】
本発明において、レバー部材は、たとえば、カードの通過方向を回動の軸方向とする回動が可能となっている。また、本発明において、シャッタ部材は、たとえば、第１方向を回動の軸方向とする回動が可能となっている。この場合には、たとえば、カードリーダは、シャッタ部材を回動可能に支持する支持軸を備え、支持軸は、支持軸の軸方向と第１方向とが一致するように配置され、シャッタ部材は、略円筒状に形成されるとともに支持軸に支持される支持部と、カード通過路を閉鎖する閉鎖部とを備え、支持軸は、支持部の内周側に挿通され、支持部には、支持部の径方向の外側へ突出する突起部が形成され、閉鎖位置にシャッタ部材がありかつ制限位置にレバー部材がある状態でカード挿入口へのカードの挿入方向に閉鎖部が押されると、突起部が制限部に接触して、閉鎖位置にあるシャッタ部材の動作が制限される。【００１４】
この場合には、制限部は、閉鎖位置にシャッタ部材がありかつ制限位置にレバー部材がある状態でカードの挿入方向に閉鎖部が押されたときに突起部が接触する側にのみ配置されていることが好ましい。このように構成すると、カードの挿入方向におけるカードの先端側の第１方向の幅は正規の幅であったり、カードの先端側の厚さは正規の厚さであるが、カードの挿入方向におけるカードの後端側（すなわち、カードの排出方向におけるカードの先端側）の第１方向の幅が正規の幅でないカードやカードの後端側の厚さが正規の厚さでないカードが、万一、カードリーダに取り込まれたとしても、カードリーダから排出されるカードの後端がシャッタ部材の閉鎖部に接触したときに、シャッタ部材がカード通過路を開放する方向へシャッタ部材を回動させることが可能になる。したがって、カードの先端側の第１方向の幅は正規の幅であったり、カードの先端側の厚さは正規の厚さであるが、カードの後端側の第１方向の幅が正規の幅でないカードやカードの後端側の厚さが正規の厚さでないカードが、万一、カードリーダに取り込まれたとしても、カードリーダに取り込まれたカードをカードリーダから排出することが可能になる。【００１５】
本発明において、カードリーダは、シャッタ部材を回動可能に支持する支持軸と、カードの厚さ方向におけるカード通過路の一方の面を構成するフレームとを備え、支持軸は、支持軸の軸方向と第１方向とが一致するように配置され、シャッタ付勢部材は、ネジリコイルバネであり、ネジリコイルバネは、支持軸が挿通される筒状の筒部と、筒部の一端の、カードの通過方向の一方側からカードの厚さ方向の一方側へ伸びる第１腕部と、筒部の他端の、カードの通過方向の他方側からカードの厚さ方向の一方側へ伸びる第２腕部とを備え、フレームには、第１腕部の先端部がカードの通過方向の他方側から接触可能な第１接触部と、第２腕部の先端部がカードの通過方向の一方側から接触可能な第２接触部とが形成され、シャッタ部材には、カードの通過方向の一方側から第１腕部に接触可能な第３接触部と、カードの通過方向の他方側から第２腕部に接触可能な第４接触部とが形成され、シャッタ部材が閉鎖位置にあるときに、第１腕部の先端部は、第１接触部に接触し、第２腕部の先端部は、第２接触部に接触していることが好ましい。このように構成すると、閉鎖位置にあるシャッタ部材が支持軸を中心にしてどちらの方向へ回動しても、共通のシャッタ付勢部材によって、シャッタ部材を閉鎖位置へ戻すことが可能になる。したがって、カードリーダの構成を簡素化することが可能になる。【００１６】
本発明において、シャッタ部材が閉鎖位置にあるときに、第３接触部は、カードの通過方向の一方側から第１腕部に接触し、第４接触部は、カードの通過方向の他方側から第２腕部に接触していることが好ましい。このように構成すると、閉鎖位置にあるシャッタ部材のふらつきを抑制することが可能になる。したがって、シャッタ部材が閉鎖位置にある状態でレバー部材が解除位置から制限位置へ動作するときの、シャッタ部材のふらつきに起因するレバー部材の制限部とシャッタ部材との干渉を防止することが可能になる。その結果、レバー部材を解除位置から制限位置に確実に戻すことが可能になる。
【発明の効果】
【００１７】
以上のように、本発明では、カードリーダの内部に異形のカードが取り込まれるのを防止することが可能であっても、カードリーダのコストを低減することが可能になる。
【図面の簡単な説明】
【００１８】
【図１】本発明の実施の形態にかかるカードリーダの斜視図である。
【図２】図１に示すカードリーダの前端側部分の構成を説明するための斜視図であり、（Ａ）はシャッタ部材の動作が制限されている状態を示す図、（Ｂ）はシャッタ部材の動作の制限が解除されている状態を示す図である。
【図３】図２に示すカードリーダの前端側部分の正面図であり、（Ａ）はシャッタ部材の動作が制限されている状態を示す図、（Ｂ）はシャッタ部材の動作の制限が解除されている状態を示す図である。
【図４】図２に示すカードリーダの前端側部分の平面図であり、（Ａ）はシャッタ部材の動作が制限されている状態を示す図、（Ｂ）はシャッタ部材の動作の制限が解除されている状態を示す図である。
【図５】図２に示すシャッタ部材の付勢状態を説明するための概略図である。
【発明を実施するための形態】
【００１９】
以下、図面を参照しながら、本発明の実施の形態を説明する。
【００２０】
（カードリーダの概略構成）
図１は、本発明の実施の形態にかかるカードリーダ１の斜視図である。図２は、図１に示すカードリーダ１の前端側部分の構成を説明するための斜視図であり、（Ａ）はシャッタ部材７の動作が制限されている状態を示す図、（Ｂ）はシャッタ部材７の動作の制限が解除されている状態を示す図である。
【００２１】
本形態のカードリーダ１は、カード２に記録されたデータの読取りやカード２へのデータの記録を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。カードリーダ１には、カード２が挿入されるカード挿入口３と、カード挿入口３に挿入されたカード２が通過するカード通過路４とが形成されている。カード通過路４は、カード挿入口３に繋がるように形成されている。
【００２２】
カード２は、０．７〜０．８ｍｍ程度の塩化ビニール製のカードである。カードリーダ１で使用される正規のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、略長方形状に形成されている。カード２の裏面には、磁気データが記録される磁気ストライプが形成されている。なお、カード２には、ＩＣチップが内蔵されても良い。
【００２３】
カード通過路４では、図１等に示すＸ方向へカード２が通過する。具体的には、カード挿入口３に、図１等に示すＸ２方向へカード２が挿入され、カード挿入口３から、図１等に示すＸ１方向へカード２が排出される。すなわち、Ｘ方向は、カード２の通過方向であり、Ｘ２方向は、カード２の挿入方向であり、Ｘ１方向は、カード２の排出方向である。また、Ｘ方向に直交する図１等のＺ方向は、カード通過路４を通過するカード２の厚さ方向であり、Ｘ方向とＺ方向とに直交する図１等のＹ方向は、カード通過路４を通過するカード２の幅方向である。
【００２４】
本形態では、カード２の長手方向とＸ方向とが一致するように（すなわち、カード２の短手方向とＹ方向とが一致するように）、カード２がカードリーダ１に取り込まれる。以下の説明では、Ｘ方向を「前後方向」、Ｙ方向を「左右方向」、Ｚ方向を「上下方向」とする。また、Ｘ１方向側を「前」側、Ｘ２方向側を「奥（後ろ）」側、Ｙ１方向側を「右」側、Ｙ２方向側を「左」側、Ｚ１方向側を「上」側、Ｚ２方向側を「下」側とする。本形態の左右方向（Ｙ方向）は、第１方向である。
【００２５】
カードリーダ１は、カード２に記録された磁気データの読取りやカード２への磁気データの記録を行う磁気ヘッド（図示省略）を備えている。また、カードリーダ１は、カード通過路４でカード２を搬送するカード搬送機構（図示省略）を備えている。カード搬送機構は、たとえば、カード２を搬送する搬送ローラと、搬送ローラに対向配置されるパッドローラと、搬送ローラを駆動するモータと、モータの動力を搬送ローラに伝達する動力伝達機構とを備えている。
【００２６】
また、カードリーダ１は、カード通過路４を閉鎖するためのシャッタ部材７と、シャッタ部材７がカード通過路４を閉鎖する閉鎖位置７Ａに配置されたシャッタ部材７の動作を制限するためのレバー部材８とを備えている。シャッタ部材７およびレバー部材８は、カードリーダ１の前端側部分に配置されている。具体的には、シャッタ部材７およびレバー部材８は、カード挿入口３のすぐ奥側に配置されている。以下、カードリーダ１の前端側部分の構成を説明する。
【００２７】
（カードリーダの前端側部分の構成）
図３は、図２に示すカードリーダ１の前端側部分の正面図であり、（Ａ）はシャッタ部材７の動作が制限されている状態を示す図、（Ｂ）はシャッタ部材７の動作の制限が解除されている状態を示す図である。図４は、図２に示すカードリーダ１の前端側部分の平面図であり、（Ａ）はシャッタ部材７の動作が制限されている状態を示す図、（Ｂ）はシャッタ部材７の動作の制限が解除されている状態を示す図である。図５は、図２に示すシャッタ部材７の付勢状態を説明するための概略図である。
【００２８】
上述のように、シャッタ部材７は、カード挿入口３のすぐ奥側に配置されており、カード通過路４の前端側部分を閉鎖するために設けられている。レバー部材８は、カード通過路４の左右方向の両側のそれぞれに配置されている。すなわち、カードリーダ１は、カード通過路４の左右の両側のそれぞれに配置される２本のレバー部材８を備えている。シャッタ部材７と２本のレバー部材８とは、前後方向において略同じ位置に配置されている。また、シャッタ部材７と２本のレバー部材８とは、左右方向において隣接配置されている。
【００２９】
また、カードリーダ１は、シャッタ部材７を回動可能に支持する支持軸１０と、２本のレバー部材８のそれぞれを回動可能に支持する２本の支持軸１１とを備えている。支持軸１０は、支持軸１０の軸方向と左右方向とが一致するように配置されている。支持軸１０の長さは、カード通過路４の左右方向の幅よりも長くなっている。また、支持軸１０は、カード通過路４よりも上側に配置されている。支持軸１０の両端側部分は、カードリーダ１のフレームに支持されている。支持軸１１は、支持軸１１の軸方向と前後方向とが一致するように配置されている。また、支持軸１１は、カード通過路４よりも下側に配置されている。２本の支持軸１１は、カード通過路４の左右方向の両外側のそれぞれに配置されている。
【００３０】
シャッタ部材７は、全体として左右方向に細長いブロック状に形成されている。このシャッタ部材７は、カード通過路４を閉鎖する閉鎖部７ａと、支持軸１０に支持される２個の支持部７ｂとを備えている。閉鎖部７ａは、シャッタ部材７が閉鎖位置７Ａにあるときのシャッタ部材７の下端側部分を構成している。また、閉鎖部７ａは、シャッタ部材７が閉鎖位置７Ａにあるときに支持軸１０の真下に配置されている。２個の支持部７ｂのそれぞれは、シャッタ部材７の左右の両端側部分のそれぞれを構成している。
【００３１】
閉鎖部７ａには、シャッタ部材７が閉鎖位置７Ａにあるときに下側へ突出する複数の突起部７ｃが形成されている。複数の突起部７ｃは、左右方向において所定の間隔をあけた状態で形成されている。カード通過路４の下面を構成するカードリーダ１の下フレーム１２の上面には、突起部７ｃとの干渉を防止するための複数の凹部１２ａが形成されている。支持部７ｂは、略円筒状に形成されている。支持部７ｂの内周側には、支持軸１０が挿通されており、シャッタ部材７は、左右方向を回動の軸方向とする回動が可能となっている。支持部７ｂには、径方向の外側へ突出する突起部７ｄが形成されている。突起部７ｄは、シャッタ部材７が閉鎖位置７Ａにあるときに上側に向かって突出している。
【００３２】
閉鎖位置７Ａにあるシャッタ部材７は、図５に示すように、右側から見たときの時計回りの方向（時計方向）および右側から見たときの反時計回りの方向（反時計方向）への回動が可能となっている。シャッタ部材７は、シャッタ付勢部材１３によって閉鎖位置７Ａに向かって付勢されている。具体的には、シャッタ部材７は、シャッタ付勢部材１３によって、カード通過路４よりも上側に配置される支持軸１０を中心に、閉鎖位置７Ａに向かって、右側から見たときの時計方向および反時計方向へ付勢されており、閉鎖位置７Ａにあるシャッタ部材７には、シャッタ付勢部材１３の付勢力は作用していない。すなわち、閉鎖位置７Ａは、シャッタ付勢部材１３によって付勢されるシャッタ部材７の中立位置となっている。
【００３３】
シャッタ付勢部材１３は、ネジリコイルバネである。図５に示すように、シャッタ付勢部材１３は、支持軸１０が挿通される筒状（具体的には、円筒状）の筒部１３ａと、筒部１３ａの一端（たとえば、右端）の後ろ側から上側に向かって伸びる第１腕部１３ｂと、筒部１３ａの他端（たとえば、左端）の前側から上側に向かって伸びる第２腕部１３ｂとを備えている。本形態では、第１腕部１３ｂは、第１腕部１３ｂの上端が若干後ろ側へ向かうように傾斜しており、第２腕部１３ｃは、第２腕部１３ｃの上端が若干前側へ向かうように傾斜している。シャッタ付勢部材１３は、左右方向におけるシャッタ部材７の中心の１箇所に配置されている。なお、図２〜図４では、シャッタ付勢部材１３の図示を省略している。また、シャッタ付勢部材１３は、左右方向におけるシャッタ部材７の中心からずれた箇所に配置されていても良い。また、シャッタ付勢部材１３は、左右方向におけるシャッタ部材７の両端側の２箇所に配置されていても良い。
【００３４】
カード通過路４の上面を構成するカードリーダ１の上フレーム１６には、図５に示すように、右側から見たときの反時計方向へのシャッタ部材７の回動範囲を規制するストッパ１６ａと、右側から見たときの時計方向へのシャッタ部材７の回動範囲を規制するストッパ１６ｂとが形成されている。本形態の上フレーム１６は、カード２の厚さ方向におけるカード通過路４の一方の面を構成するフレームである。
【００３５】
第１腕部１３ｂの上端部（先端部）は、ストッパ１６ａの前面側に接触可能となっており、シャッタ部材７が閉鎖位置７Ａにあるときにストッパ１６ａの前面側に接触している。第２腕部の上端部（先端部）は、ストッパ１６ｂの後面側に接触可能となっており、シャッタ部材７が閉鎖位置７Ａにあるときにストッパ１６ｂの後面側に接触している。すなわち、シャッタ部材７が閉鎖位置７Ａにあるときには、図５に示すように、第１腕部１３ｂの先端部は、ストッパ１６ａに前側から接触し、第２腕部の先端部は、ストッパ１６ｂに後ろ側から接触している。本形態のストッパ１６ａは、第１腕部１３ｂの先端部が前側から接触可能な第１接触部であり、ストッパ１６ｂは、第２腕部１３ｃの先端部が後ろ側から接触可能な第２接触部である。
【００３６】
また、シャッタ部材７の上端側には、後ろ側から第１腕部１３ｂに接触可能な第３接触部としての接触部７ｆと、前側から第２腕部１３ｃに接触可能な第４接触部としての接触部７ｇとが形成されている。シャッタ部材７が閉鎖位置７Ａにあるときには、接触部７ｆは、後ろ側から第１腕部１３ｂに接触し、接触部７ｇは、前側から第２腕部１３ｃに接触している。なお、シャッタ付勢部材１３は、引張りコイルバネ、圧縮コイルバネあるいは板バネ等の他のバネ部材であっても良い。
【００３７】
レバー部材８は、カード挿入口３に挿入されたカード２の短手方向の幅（左右方向の幅）が正規の幅である場合にカード２が接触するカード接触部８ａと、閉鎖位置７Ａにあるシャッタ部材７の動作を制限する制限部８ｂと、支持軸１１に支持される２個の支持部８ｃとを備えている。支持部８ｃとカード接触部８ａと制限部８ｂとは、下側からこの順番に配置されている。また、レバー部材８の上端側には、支持軸１０が挿通される貫通孔８ｄが形成されている。
【００３８】
支持部８ｃは、略円筒状に形成されている。２個の支持部８ｃは、前後方向において所定の間隔をあけた状態で配置されている。２個の支持部８ｃの内周側には、支持軸１１が挿通されており、レバー部材８は、前後方向を回動の軸方向とする回動が可能となっている。貫通孔８ｄは、左右方向においてレバー部材８を貫通するように形成されている。また、貫通孔８ｄは、レバー部材８が回動したときのレバー部材８と支持軸１０との干渉を防止するために、上下方向に長い長孔状に形成されている。
【００３９】
上述のように、レバー部材８は、カード通過路４の左右方向の両側のそれぞれに配置されている。カード接触部８ａは、カード通過路４の左右方向の両側のそれぞれからカード通過路４に臨むように配置されており、カード通過路４に対して出没可能となっている。２個のカード接触部８ａのそれぞれには、カード挿入口３に挿入されたカード２の左右方向の幅が正規の幅である場合に、左右方向におけるカード２の両端面のそれぞれが接触する。制限部８ｂは、シャッタ部材７の突起部７ｄに前側から接触可能となるように、左右方向の内側へ突出するように形成されている。制限部８ｂの後面は、前後方向に直交する平面状に形成されている。
【００４０】
レバー部材８は、レバー付勢部材１４によって制限部８ｂがシャッタ部材７の動作を制限する制限位置８Ａに向かって付勢されている（図２（Ａ）、図３（Ａ）、図４（Ａ）参照）。具体的には、レバー部材８は、レバー付勢部材１４によって、カード通過路４よりも下側に配置される支持軸１１を中心に、レバー部材８の上端側が左右方向の内側へ向かうように付勢されている。すなわち、カード通過路４の右側に配置されるレバー部材８は、前側から見たときの反時計方向に付勢され、カード通過路４の左側に配置されるレバー部材８は、前側から見たときの時計方向に付勢されている。レバー付勢部材１４は、たとえば、ネジリコイルバネであり、レバー付勢部材１４には、支持軸１１が挿通されている。なお、図３、図４では、レバー付勢部材１４の図示を省略している。また、レバー付勢部材１４は、引張りコイルバネ、圧縮コイルバネあるいは板バネ等の他のバネ部材であっても良い。
【００４１】
上フレーム１６には、制限位置８Ａにあるレバー部材８の上端側がさらに左右方向の内側へ向かうようにレバー部材８が回動するのを防止するためのストッパ（図示省略）が設けられている。そのため、レバー付勢部材１４の付勢力以外の外力がレバー部材８に作用していないときには、レバー部材８は、制限位置８Ａで停止する。レバー部材８が制限位置８Ａにあるときには、制限部８ｂは、シャッタ部材７の突起部７ｄの前側に配置されている。そのため、レバー部材８が制限位置８Ａにあるときには、シャッタ部材７は、右側から見たときの反時計方向への回動が制限されており、閉鎖部７ａを奥側へ押しても、シャッタ部材７は回動しない。すなわち、レバー部材８が制限位置８Ａにあるときには、閉鎖部７ａを奥側へ押しても、突起部７ｄが制限部８ｂに接触するため、シャッタ部材７は回動しない。
【００４２】
このように、本形態では、閉鎖位置７Ａにシャッタ部材７がありかつ制限位置８Ａにレバー部材８がある状態で閉鎖部７ａが奥側に押されると、突起部７ｄが制限部８ｂに接触して、閉鎖位置７Ａにあるシャッタ部材７の動作が制限される。また、本形態では、制限部８ｂは、閉鎖位置７Ａにシャッタ部材７がありかつ制限位置８Ａにレバー部材８がある状態で閉鎖部７ａが奥側に押されたときに突起部７ｄが接触する側にのみ配置されている。すなわち、閉鎖位置７Ａにシャッタ部材７がありかつ制限位置８Ａにレバー部材８がある状態では、突起部７ｄの前側のみに制限部８ｂが配置されており、突起部７ｄの奥側には制限部８ｂは配置されていない。
【００４３】
（カード挿入時のレバー部材およびシャッタ部材の動作）
カードリーダ１では、カード挿入口３にカード２が挿入される前の待機時には、シャッタ部材７は、閉鎖位置７Ａにあり、レバー部材８は、制限位置８Ａにある。この状態で、左右方向の幅が正規の幅であるカード２がカード挿入口３に挿入されると、２個のカード接触部８ａのそれぞれに左右方向におけるカード２の両端面のそれぞれが接触して、２本のレバー部材８が支持軸１１を中心にして回動する。具体的には、レバー部材８の上端側が左右方向の外側へ開くように２本のレバー部材８が回動する。
【００４４】
左右方向の幅が正規の幅であるカード２がカード挿入口３に挿入されて、２本のレバー部材８が回動すると、図２（Ｂ）、図３（Ｂ）、図４（Ｂ）に示すように、シャッタ部材７の突起部７ｄが接触しない位置まで２個の制限部８ｂが移動して、制限部８ｂによるシャッタ部材７の制限状態が解除される。すなわち、制限部８ｂによるシャッタ部材７の制限状態が解除される解除位置８Ｂへ２本のレバー部材８が回動する。その後、さらにカード２が奥側に挿入されてカード２の奥端がシャッタ部材７の閉鎖部７ａに接触し、閉鎖部７ａがカード２によって奥側に押されると、カード２が通過可能となるようにシャッタ部材７が動作する。具体的には、シャッタ部材７は、右側から見たときの反時計方向へ回動する。
【００４５】
また、シャッタ部材７が回動すると、カードリーダ１の内部にカード２が取り込まれる。カードリーダ１の内部にカード２が完全に取り込まれると、カード２の前端は、シャッタ部材７よりも奥側に配置される。そのため、シャッタ部材７は、シャッタ付勢部材１３の付勢力で閉鎖位置７Ａに戻る。また、レバー部材８は、シャッタ部材７が閉鎖位置７Ａに戻った後に、レバー付勢部材１４の付勢力で制限位置８Ａに戻る。
【００４６】
カードリーダ１でのカード２の処理が終了すると、カードリーダ１からカード２が排出される。カード２の排出時には、カード２の前端がシャッタ部材７の閉鎖部７ａに接触して閉鎖部７ａを前側へ押す。上述のように、閉鎖位置７Ａにシャッタ部材７がありかつ制限位置８Ａにレバー部材８がある状態では、突起部７ｄの前側のみに制限部８ｂが配置されており、突起部７ｄの奥側には制限部８ｂは配置されていないため、閉鎖部７ａがカード２によって前側に押されると、カード２が通過可能となるようにシャッタ部材７が右側から見たときの時計方向へ回動する。また、シャッタ部材７が回動すると、カードリーダ１からカード２が排出される。カードリーダ１からカード２が排出されると、シャッタ部材７は、シャッタ付勢部材１３の付勢力で閉鎖位置７Ａに戻る。
【００４７】
なお、カード２の排出時にも、２個のカード接触部８ａのそれぞれに左右方向におけるカード２の両端面のそれぞれが接触すると、レバー部材８は、制限位置８Ａから解除位置８Ｂに移動する。また、カードリーダ１からカード２が排出されると、レバー部材８は、シャッタ部材７が閉鎖位置７Ａに戻った後に、レバー付勢部材１４の付勢力で制限位置８Ａに戻る。
【００４８】
一方、左右方向の幅が正規の幅でない異形のカード２がカード挿入口３に挿入された場合には、２個のカード接触部８ａのうちの少なくとも一方のカード接触部８ａに、カード２の左右方向の端面が接触しない。あるいは、左右方向の幅が正規の幅でない異形のカード２がカード挿入口３に挿入された場合に２個のカード接触部８ａにカード２の左右方向の端面が接触したとしても、突起部７ｄが接触しない位置まで２個の制限部８ｂが移動するほど２本のレバー部材８は回動しない。
【００４９】
そのため、この場合には、２個の制限部８ｂのうちの少なくとも一方の制限部８ｂは突起部７ｄの前側に配置されており、制限部８ｂによるシャッタ部材７の制限状態は解除されない。すなわち、制限位置８Ａから解除位置８Ｂへ少なくとも１本のレバー部材８は回動しない。したがって、その後、さらに奥側に挿入されたカード２が閉鎖部７ａに接触して閉鎖部７ａを奥側に向かって押しても、シャッタ部材７は回動せず、カード２はカードリーダ１の内部に取り込まれない。
【００５０】
（本形態の主な効果）
以上説明したように、本形態では、左右方向の幅が正規の幅であるカード２がカード挿入口３に挿入されると、２個のカード接触部８ａのそれぞれに左右方向におけるカード２の両端面のそれぞれが接触して、２本のレバー部材８が支持軸１１を中心にして回動し、突起部７ｄに接触しない位置まで２個の制限部８ｂが移動する。すなわち、制限部８ｂによるシャッタ部材７の制限状態が解除される解除位置８Ｂへ２本のレバー部材８が回動する。一方、左右方向の幅が正規の幅でない異形のカード２がカード挿入口３に挿入された場合には、２個の制限部８ｂのうちの少なくとも一方の制限部８ｂは突起部７ｄの前側に配置されており、少なくとも１本のレバー部材８は解除位置８Ｂへ回動しない。そのため、本形態では、左右方向の幅が正規の幅でない異形のカード２がカード挿入口３に挿入された場合に、閉鎖位置７Ａにあるシャッタ部材７は回動しない。したがって、本形態では、カードリーダ１の内部に異形のカード２が取り込まれるのを防止することが可能になる。
【００５１】
また、本形態では、シャッタ部材７は、シャッタ付勢部材１３によって閉鎖位置７Ａに向かって付勢されており、制限部８ｂによるシャッタ部材７の制限状態が解除された後、さらに奥側に挿入されたカード２がシャッタ部材７の閉鎖部７ａに接触して閉鎖部７ａがカード２に押されると、カード２が通過可能となるようにシャッタ部材７が動作する。そのため、本形態では、シャッタ部材７を駆動する駆動源が不要になる。また、本形態では、特許文献１に記載のカードリーダが有するセンサも不要になる。したがって、本形態では、カードリーダ１の内部に異形のカード２が取り込まれるのを防止することが可能であっても、カードリーダ１のコストを低減することが可能になる。
【００５２】
本形態では、シャッタ部材７とレバー部材８とは、左右方向において隣接配置されており、前後方向において略同じ位置に配置されている。そのため、本形態では、シャッタ部材７とレバー部材８とが前後方向においてずれた位置に配置されている場合と比較して、前後方向においてカードリーダ１を小型化することが可能になる。
【００５３】
本形態では、カードリーダ１の内部にカード２が完全に取り込まれると、シャッタ部材７が閉鎖位置７Ａに戻るとともに、レバー部材８が制限位置８Ａに戻るが、閉鎖位置７Ａにシャッタ部材７がありかつ制限位置８Ａにレバー部材８がある状態では、突起部７ｄの前側のみに制限部８ｂが配置されており、突起部７ｄの奥側には制限部８ｂは配置されていない。そのため、本形態では、たとえば、カード２の奥端側（すなわち、カード２の挿入方向の先端側）の左右方向の幅は正規の幅であるが、カード２の前端側（すなわち、カード２の排出方向の先端側）の左右方向の幅が正規の幅でないカード２が、万一、カードリーダ１の内部に取り込まれても、カードリーダ１から排出されるカード２の前端が閉鎖部７ａに接触して閉鎖部７ａが前側に押されると、シャッタ部材７がカード通過路４を開放する方向へシャッタ部材７が回動する。したがって、本形態では、カード２の奥端側の左右方向の幅は正規の幅であるが、カード２の前端側の左右方向の幅が正規の幅でないカード２が、万一、カードリーダ１の内部に取り込まれても、カードリーダ１に取り込まれたカード２をカードリーダ１から排出することが可能になる。
【００５４】
本形態では、シャッタ付勢部材１３は、ネジリコイルバネであり、シャッタ部材７が閉鎖位置７Ａにあるときに、シャッタ付勢部材１３の第１腕部１３ｂの先端部は、ストッパ１６ａに前側から接触し、第２腕部１３ｃの先端部は、ストッパ１６ｂに後ろ側から接触している。また、本形態では、シャッタ部材７の上端側に、後ろ側から第１腕部１３ｂに接触可能な接触部７ｆと、前側から第２腕部１３ｃに接触可能な接触部７ｇとが形成されている。そのため、本形態では、閉鎖位置７Ａにあるシャッタ部材７が右側から見たときの時計方向および反時計方向のどちらの方向へ回動しても、共通のシャッタ付勢部材１３によって、シャッタ部材７を閉鎖位置７Ａへ戻すことが可能になる。したがって、本形態では、カードリーダ１の構成を簡素化することが可能になる。
【００５５】
本形態では、シャッタ部材７が閉鎖位置７Ａにあるときに、シャッタ部材７の接触部７ｆが後ろ側から第１腕部１３ｂに接触し、シャッタ部材７の接触部７ｇが前側から第２腕部１３ｃに接触している。そのため、本形態では、閉鎖位置７Ａにあるシャッタ部材７のふらつきを抑制することが可能になる。したがって、本形態では、シャッタ部材７が閉鎖位置７Ａにある状態でレバー部材８が解除位置８Ｂから制限位置８Ａに戻るときの、シャッタ部材７のふらつきに起因する制限部８ｂと突起部７ｄとの干渉を防止することが可能になる。その結果、本形態では、レバー部材８を解除位置８Ｂから制限位置８Ａに確実に戻すことが可能になる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態では、左右方向の幅が正規の幅であるカード２がカード挿入口３に挿入されたときに、制限部８ｂによるシャッタ部材７の制限状態が解除されるように、レバー部材８は、前後方向を回動の軸方向として回動可能となっている。この他にもたとえば、左右方向の幅が正規の幅であるカード２がカード挿入口３に挿入されたときに、制限部８ｂによるシャッタ部材７の制限状態が解除されるように、レバー部材８は、上下方向を回動の軸方向として回動可能となっていても良いし、左右方向を回動の軸方向として回動可能となっていても良い。また、左右方向の幅が正規の幅であるカード２がカード挿入口３に挿入されたときに、制限部８ｂによるシャッタ部材７の制限状態が解除されるように、レバー部材８は、左右方向へスライドしても良いし、上下方向へスライドしても良い。
【００５８】
上述した形態では、左右方向の幅が正規の幅であるカード２がカード挿入口３に挿入されたときに、カード２がカード接触部８ａに接触してレバー部材８が動作して、制限部８ｂによるシャッタ部材７の制限状態が解除される。この他にもたとえば、厚さが正規の厚さであるカード２がカード挿入口３に挿入されたときに、カード２がカード接触部８ａに接触してレバー部材８が動作して、制限部８ｂによるシャッタ部材７の制限状態が解除されても良い。この場合には、厚さが正規の厚さであるカード２がカード挿入口３に挿入されてカード２がカード接触部８ａに接触すると、制限部８ｂによるシャッタ部材７の制限状態が解除されるように、レバー部材８が上下方向へスライドする。この場合であっても、カードリーダ１の内部に異形のカード２が取り込まれるのを防止することが可能になる。
【００５９】
なお、上下方向へスライドするレバー部材８が左右方向におけるカード通過路４の両端側のそれぞれに配置されている場合には、左右方向の幅が正規の幅であって、かつ、厚さが正規の厚さであるカード２がカード挿入口３に挿入されたときに、制限部８ｂによるシャッタ部材７の制限状態が解除されるように２本のレバー部材８を上下方向へスライドさせることが可能である。この場合には、左右方向の幅が正規の幅であって、かつ、厚さが正規の厚さであるカード２のみをカードリーダ１の内部へ取り込むことが可能になる。
【００６０】
上述した形態では、シャッタ部材７は、左右方向を回動の軸方向とする回動が可能となっているが、シャッタ部材７は、上下方向へスライド可能となっていても良い。この場合には、カード２がシャッタ部材７の下端側部分に接触したときに、シャッタ部材７が上側へスライドするように、シャッタ部材７の下端側部分に所定の傾斜面が形成される。また、上述した形態では、シャッタ部材７が閉鎖位置７Ａにあるときに、閉鎖部７ａは支持軸１０の真下に配置されているが、シャッタ部材７が閉鎖位置７Ａにあるときに、閉鎖部７ａと支持軸１０とが前後方向においてずれていても良い。
【００６１】
上述した形態では、閉鎖位置７Ａにシャッタ部材７がありかつ制限位置８Ａにレバー部材８がある状態において、突起部７ｄの前側のみに制限部８ｂが配置されており、突起部７ｄの奥側には制限部８ｂは配置されていない。この他にもたとえば、閉鎖位置７Ａにシャッタ部材７がありかつ制限位置８Ａにレバー部材８がある状態において、突起部７ｄの前側および奥側の両側のそれぞれに制限部８ｂが配置されても良い。この場合には、たとえば、カードリーダ１から排出されるカード２の前端側の左右方向の幅が正規の幅である場合にカード２が接触するカード接触部がレバー部材８に形成され、カードリーダ１から排出されるカード２の前端側がこのカード接触部に接触すると、制限位置８Ａにあるレバー部材８が解除位置８Ｂへ回動する。
【００６２】
上述した形態では、シャッタ部材７は、共通のシャッタ付勢部材１３によって、右側から見たときの時計方向および反時計方向へ付勢されているが、右側から見たときの時計方向へシャッタ部材７を付勢するシャッタ付勢部材と、右側から見たときの反時計方向へシャッタ部材７を付勢するシャッタ付勢部材とが個別に設けられていても良い。また、上述した形態では、シャッタ部材７が閉鎖位置７Ａにあるときに、接触部７ｆは、第１腕部１３ｂに接触し、接触部７ｇは、第２腕部１３ｃに接触しているが、シャッタ部材７が閉鎖位置７Ａにあるときに、接触部７ｆは、第１腕部１３ｂに接触していなくても良いし、接触部７ｇは、第２腕部１３ｃに接触していなくても良い。
【００６３】
上述した形態では、シャッタ部材７とレバー部材８とは、前後方向において略同じ位置に配置されているが、シャッタ部材７とレバー部材８とは、前後方向においてずれていても良い。また、上述した形態では、カード２は、厚さが０．７〜０．８ｍｍ程度の矩形状の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、カード搬送機構を備えるカード搬送式のカードリーダであるが、カードリーダ１は、カード２の挿入および引抜きを手動で行う手動式のカードリーダであっても良い。
【符号の説明】
【００６４】
１  カードリーダ
２  カード
３  カード挿入口
４  カード通過路
７  シャッタ部材
７Ａ  閉鎖位置
７ａ  閉鎖部
７ｂ  支持部
７ｄ  突起部
７ｆ  接触部（第３接触部）
７ｇ  接触部（第４接触部）
８  レバー部材
８Ａ  制限位置
８Ｂ  解除位置
８ａ  カード接触部
８ｂ  制限部
１０  支持軸
１３  シャッタ付勢部材（ネジリコイルバネ）
１３ａ  筒部
１３ｂ  第１腕部
１３ｃ  第２腕部
１４  レバー付勢部材
１６  上フレーム（フレーム）
１６ａ  ストッパ（第１接触部）
１６ｂ  ストッパ（第２接触部）
Ｘ  カードの通過方向
Ｘ２  カードの挿入方向
Ｙ  第１方向
Ｚ  カードの厚さ方向
【図１】
2017057189.tif 000003
【図２】
2017057189.tif 000004
【図３】
2017057189.tif 000005
【図４】
2017057189.tif 000006
【図５】
2017057189.tif 000007
【国際調査報告】
2017057189.tif 000008
2017057189.tif 000009
2017057189.tif 000010
2017057189.tif 000011